(57)【特許請求の範囲】
【請求項１】
音声通信ソフト及び動画像受信ソフトがインストールされているモニタ付き音声通信端末と、画像再生装置が接続され、該音声通信ソフトと通信制御方式が同じである音声画像通信ソフトがインストールされている動画像送信端末、網内の音声通信端末がネットワークインタフェースを介して、パケット型ネットワークに接続される網内配備画像配信機能を有するシステムにおいて、音声通話中に網内配備画像を表示する網内配備画像表示方法であって、
前記モニタ付音声通信端末から前記網内の音声通信端末に発呼メッセージを送信し、該音声通信端末における着信操作により該モニタ付音声通信端末との間で音声通信状態となっている状態のとき、
前記モニタ付き音声通信端末から前記動画像送信端末に発呼メッセージを送信し、該動画像送信端末が該モニタ付き音声通信端末に接続メッセージパケットを送信することにより通信が確立すると、
前記動画像送信端末は、接続されている画像再生装置で再生されている画像データを前記モニタ付き音声通信端末に送信し、
前記モニタ付音声通信端末は、前記動画像送信端末から受信した画像データを表示する
ことを特徴とする網内配備画像表示方法。
【発明の詳細な説明】
【０００１】
【発明の属する技術分野】
本発明は、網内配備画像表示方法に係り、特に、インターネット等のパケット型ネットワークで、双方向にリアルタイム音声通信を行うＩＰ電話などのパケット型音声通信システムにおいて、音声通信中に自動的に網内配備画像を発呼側端末に表示するための、モニタ付き音声通信端末における音声通信中の網内配備画像表示方法に関する。
【０００２】
【従来の技術】
ＩＰネットワークを介して、双方向に画像や音声をパケットデータとして、リアルタイムに送受信するＩＰ電話というアプリケーションが普及し始めている。
図１２は、従来のＩＰ電話における相手指定方法の例を示す。
【０００３】
ＩＰ電話では、通信相手を指定するために、ＩＰアドレスとポート番号を用いて発呼メッセージパケットを送信し、これを受信した相手側端末から返送される接続メッセージパケット受信後、音声通信となるのが一般的である。この時、相手側のＩＰアドレスは、通常不明なため、ゲートキーパと呼ばれるアドレス変換サーバに問い合わせすることで、相手先のＩＰアドレス及びポート番号を取得するのが一般的である。この場合のシーケンスを図１３に示す。
【０００４】
また、通信相手がパケット網と電話網を接続するゲートウェイ（ＧＷ）を経由した一般電話網内の通話の場合には、相手先の電話番号を元に接続空きＧＷのＩＰアドレスをＧＫに問い合わせた後、当該ＧＷに対し、該ＧＷがダイヤルすべき相手先の電話番号を含んだ発呼メッセージパケットを送信し、一般電話の着信後、当該ＧＷが接続メッセージパケットを返送し、音声通信となるのが一般的である。この例を図１４、図１５に示す。このようなＩＰ電話による通信制御方式としては、ＩＴＵ−Ｔ勧告H.323/H.225.0/H.245 方式などが代表的である。
【０００５】
また、図１６に示すような動画像配信サーバに蓄積された動画像データをクライアントのＰＣに表示させるためのストリーム系動画像配信システムというアプリケーションがある。
【０００６】
【発明が解決しようとする課題】
しかしながら、上記従来のＩＰ電話は、基本的に１対１の通信であるので、ＩＰ電話通信中に、ネットワーク内のサーバに蓄えられた画像データなどを、発呼元のＩＰ電話端末に自動的に表示させるようなサービスは提供できないという問題がある。
【０００７】
また、ストリーム系動画像配信システムというアプリケーションは、サーバからクライアントへの片方向通信であり、ＩＰ電話のようにクライアント同士で双方向のリアルタイム通信を行うことができないという問題がある。
【０００８】
このストリーム系動画像配信システムのクライアントソフトを、ＩＰ電話用端末において、ＩＰ電話用ソフトと同時に１台のＰＣで動作させることは基本的に可能であるが、これらのプログラムは、独立した設計になっているため、ＩＰ電話通信中に、サーバに蓄えられた画像データなどを、発呼元のＩＰ電話端末に自動的に表示させるようなサービスは提供できないという問題がある。
【０００９】
本発明は、上記の点に鑑みなされたもので、ＩＰ電話などのパケット型音声システムにおいて、音声通信中に、ネットワーク内のサーバに蓄えられた画像データなどの網内配備画像を、発呼元端末に自動的に表示することが可能な音声通信中の網内配備画像表示方法を提供することを目的とする。
【００１０】
【課題を解決するための手段】
本発明は、音声通信ソフト及び動画像受信ソフトがインストールされているモニタ付き音声通信端末と、画像再生装置が接続され、該音声通信ソフトと通信制御方式が同じである音声画像通信ソフトがインストールされている動画像送信端末、網内の音声通信端末がネットワークインタフェースを介して、パケット型ネットワークに接続される網内配備画像配信機能を有するシステムにおいて、音声通話中に網内配備画像を表示する網内配備画像表示方法であって、
モニタ付音声通信端末から網内の音声通信端末に発呼メッセージを送信し、該音声通信端末における着信操作により該モニタ付音声通信端末との間で音声通信状態となっている状態のとき、
モニタ付き音声通信端末から動画像送信端末に発呼メッセージを送信し、該動画像送信端末が該モニタ付き音声通信端末に接続メッセージパケットを送信することにより通信が確立すると、
動画像送信端末は、接続されている画像再生装置で再生されている画像データをモニタ付き音声通信端末に送信し、
モニタ付音声通信端末は、動画像送信端末から受信した画像データを表示する。
【００３２】
上記のように、本発明では、音声通信中にネットワーク内の動画像配信サーバに蓄えられた画像データなどを発呼元端末に自動的に表示することが可能となる。これにより、動画像配信サーバより、網内配備画像をＣＭ用動画像として配信することで、モニタ付き音声通信端末の通話料を還元するサービスなどが実現可能となる。
【００３３】
また、本発明におけるアドレスサーバの機能を、ゲートウェイ（ＧＷ）内部に持たせても同様の効果が得られる。この場合は、アドレスサーバにおける動画像配信サーバのサーバアドレスを得るための機能は不要となる。
【００３４】
また、本発明における、アドレスサーバに問い合わせる機能を限定し、モニタ付き音声通信端末内部に固定的に動画像配信サーバのサーバアドレスを設定可能としても同様の効果が得られる。この場合も、アドレスサーバにおける動画像配信サーバのサーバアドレスを得るための機能は不要となる。
【００３５】
また、網内配信画像としては、動画像の他、静止画像やテキスト画像などを配信することも同様に可能である。
【００３６】
また、動画像配信サーバの情報として、サーバアドレス情報の他に、サーバの端末アドレスと使用ポート番号など、動画像配信サーバ及び網内配備画像データを特定する情報を送受信しても、同様の効果が得られる。
【００３７】
また、網内配備画像としては、予め蓄積されていた画像データの他、カメラなどから取り込んだリアルタイム画像であっても、同様の利用可能である。
【００３８】
【発明の実施の形態】
図１は、本発明のネットワーク構成を示す。同図に示すネットワークは、モニタ付き音声通信端末１０、アドレスサーバ２０、ゲートウェイ（ＧＷ）３０、動画像配信サーバ４０、一般電話網５０、パケット網６０、一般電話７０から構成される。
【００３９】
本発明においては、モニタ付き音声通信端末１０には、ネットワークＩＰ（モデムなどでプロバイダなどにダイヤルアップする機能を含む）を持ち、音声通信ソフト１１がインストールされたパソコン、及びモニタと電話機能を持った専用装置を想定している。
【００４０】
図２は、本発明のモニタ付き音声通信端末の構成を示す。
【００４１】
モニタ付き音声通信端末１０は、装置制御部１１０、アドレスサーバ２０に問い合わせメッセージを送信すると共に、アドレスサーバ２０からの返答メッセージを受信するアドレスサーバインタフェース部１２１、サーバアドレス情報及び画像データを引数として動画像受信ソフト１２を起動する動画像受信機能起動部１２２を有する音声通話機能制御部１２０、アドレスサーバ２０から受信した返答メッセージより、動画像配信サーバ４０のサーバアドレス情報及び、画像データ情報を取得する動画像受信機能・制御部１３０、パケット化／パケット組み立てを行う通信制御部１４０、ネットワークとのインターフェースをとるネットワークインタフェース部１５０、音声入力部１０１、Ａ／Ｄ変換部１０２、音声符号化部１０３、画像復号化部１０４、Ｄ／Ａ変換部１０５、画像出力部１０６、音声復号化部１０７、Ｄ／Ａ変換部１０８、音声出力部１０９から構成される。なお、当該モニタ付き音声通信端末１０には、マイク１６０、スピーカ１７０、及びモニタ１８０が接続されている。
【００４２】
図３は、本発明のアドレスサーバの構成を示す。
【００４３】
アドレスサーバ２０は、動画像配信サーバ４０のサーバアドレス情報及び画像データ情報を記録する動画像配信サーバアドレス情報・画像データ情報記録テーブル２５０、モニタ付き音声通信端末１０から問い合わせメッセージを受信する通信制御部２３０、接続先ゲートウェイまたは、端末の端末アドレスを保持する端末・ＧＷ管理テーブル２７０、問い合わせメッセージ受信時に、動画像配信サーバアドレス情報・画像データ情報記録テーブル２５０を検索し、ある動画像配信サーバ４０の情報を選択すると共に、モニタ付き音声通信端末１０に対して送信する返答メッセージ内に接続先ゲートウェイまたは、端末の端末アドレスと共に、動画像配信サーバ４０のサーバアドレス情報及び画像データ情報を含める装置制御部２２０、動画像サーバ４０のサーバアドレス情報及び画像データ情報を含む返答パケットを送信するネットワークインタフェース部２１０、コマンド制御部２４０から構成される。
【００４４】
次に、上記の構成における動作を説明する。
【００４５】
図４は、本発明の音声通信中の動画像自動表示シーケンスを示す。
【００４６】
モニタ付き音声発呼側のモニタ付き通信端末（以下、単に端末と記す）１０は、発呼時にまず、アドレスサーバ２０に対して相手側の電話番号を含む問い合わせパケットを送信する（ステップ１０１）。これを受信したアドレスサーバ２０は、アドレスサーバ２０内部に登録された端末・ＧＷ管理テーブル２７０を検索し（ステップ１０２）、動画像配信サーバアドレス情報記録テーブル２５０を検索し（ステップ１０３）、適当な動画像配信サーバ４０のサーバアドレス情報及び画像データ情報を取得すると同時に、接続すべきゲートウェイの端末アドレスを得る。アドレスサーバ２０は、この動画像配信サーバ４０のサーバアドレス情報及び画像データ情報を返答パケット内に入れ、問い合わせ元の端末１０に送信する（ステップ１０４）。
【００４７】
当該返答パケットを受信した端末１０は、当該返答パケット内から、接続先のゲートウェイの端末アドレスとポート番号を知り、相手先の電話番号を含んだ発呼パケットを送信する（当該返答パケット中にポート番号が無かった場合には、デフォルトのポート番号が用いられる）（ステップ１０５）。
【００４８】
発呼パケットを受信したゲートウェイ３０は、当該発呼パケット内の相手電話番号を知り、当該相手電話番号に対し、自動ダイヤルする（ステップ１０６）。その結果、一般電話網５０内の相手電話が鳴動し（ステップ１０７）、これに相手がでると（ステップ１０８）、ゲートウェイ３０は、一般電話７０から着信通知を受け取り（ステップ１０９）、接続したパケットを端末１０に返送する（ステップ１１０）。
【００４９】
接続パケットを受信した端末１０は、ゲートウェイ経由で、一般電話網５０の電話７０と双方向音声通話状態となる（ステップ１１１）。それと同時に、返答パケット中の動画像配信サーバ４０のサーバアドレス情報及び画像データ情報を引数として、動画像受信ソフト１２を起動する（ステップ１１２）。
【００５０】
起動された動画像受信ソフト１２は、サーバアドレス情報の動画像配信サーバ４０に当該画像データ情報を含む動画像リクエストパケットを送信する（ステップ１１３）。当該動画像リクエストパケットを受信した動画像配信サーバ４０は、動画像配信サーバ４０内を検索し（ステップ１１４）、動画像データ情報の動画像データを配信する（ステップ１１５）。
【００５１】
端末１０では、当該動画像データを受信し、音声通話中の間、この動画像データを画面に表示する（ステップ１１６）。
【００５２】
端末１０では、切断操作がなされるか、一般電話７０がオンフックされるかして音声通話が切断されると、端末１０内では、動画像受信ソフト１２を終了し、当該動画像データの表示を終了する。
【００５３】
次に、上記の端末１０における動作を説明する。
【００５４】
図５は、本発明のモニタ付き音声通信端末の動作を示すフローチャートである。
【００５５】
端末１０では、相手の電話番号を入力し、アドレスサーバ２０へ問い合わせパケットを送信する（ステップ２０１）。アドレスサーバ２０から相手のＧＷの端末アドレス、動画像配信サーバ４０のサーバアドレスを含んだ返答パケットを受信し（ステップ２０２）、ＧＷ３０に対し、相手電話番号を含んだ発呼パケットを送信する（ステップ２０３）。ＧＷ３０から接続パケットを受信し、双方向音声通信状態となる（ステップ２０４）。動画像受信ソフト１２を起動し、動画像配信サーバ４０に対し、動画像リクエストパケットを送信する（ステップ２０５）。動画像配信サーバ４０から動画像データを受信し、動画像を表示する（ステップ２０６）。
【００５６】
次に、上記のアドレスサーバ２０の動作を説明する。
【００５７】
図６は、本発明のアドレスサーバの動作を示すフローチャートである。
【００５８】
アドレスサーバ２０は、端末１０から問い合わせパケットを受信し、端末・ＧＷ管理テーブル２７０を検索し、接続先ＧＷの端末アドレスを取得する（ステップ３０１）。
【００５９】
動画像配信サーバアドレス情報テーブル２５０から適当な動画像配信サーバ４０のサーバアドレスを取得する（ステップ３０２）。端末１０に対し、相手ＧＷの端末アドレス、動画像配信サーバ４０のサーバアドレスを含んだ返答パケットを送信し（ステップ３０３）、待機状態となる（ステップ３０４）。
【００６０】
【実施例】
以下、図面と共に、本発明の実施例を説明する。
【００６１】
［第１の実施例］
本実施例は、モニタ付き音声通信端末（以下、単に端末と記す）がパケット型ネットワークにダイヤルアップを行い、アドレスサーバを利用する場合の例である。
【００６２】
図７は、本発明の第１の実施例のシステム構成図である。
【００６３】
端末１３０１には、音声通信ソフト１３０２、動画像受信ソフト１３０３がインストールされ、サーミナルアダプタ（ＴＡ）１３０４が接続されている。当該端末１３０１は、当該ＴＡ１３０４によりＩＳＤＮ網に接続されている。
【００６４】
また、パケット網上には、動画像配信サーバ１３０５、アドレスサーバ１３０６、ゲートウェイ（ＧＷ）１３０７、ＲＡＳサーバ１３０８がある。動画像配信サーバ１３０５内には、動画像データ１３０９があり、アドレスサーバ１３０６内には、ＧＷアドレス情報テーブル１３１０と動画像サーバアドレス情報テーブル１３１１があり、ＧＷ１３０７は、一般電話網にも接続され、ＲＡＳサーバ１３０８は、ＩＳＤＮ網にも接続されている。
【００６５】
このようなネットワーク環境において、モニタ付き音声通信端末１３０１から電話番号が『０３−５３５３−２６９４』である一般電話網の一般電話１３１２を呼び出すものとする。
【００６６】
端末１３０１において、相手先である一般電話１３１２の電話番号『０３−５３５３−２６９４』を入力する。端末１３０１は、ＲＡＳサーバ１３０８の電話番号を自動ダイヤルし、ＲＡＳサーバ１３０８に対し、ダイヤルアップ接続を行い、ＲＡＳサーバ１３０８よりＩＰアドレスを取得する。その後、端末１３０１では、音声通信ソフト１３０２が、アドレスサーバ１３０６に、電話番号『０３−５３５３−２６９４』を含んだ接続先ＧＷを問い合わせる問い合わせメッセージをパケット送信する。
【００６７】
当該問い合わせメッセージパケットを受信したアドレスサーバ１３０６は、自アドレスサーバ内のＧＷアドレス情報テーブル１３１０を検索し、ＧＷ１３０７のＩＰアドレス及び使用ポート番号を取得する。また、動画像配信サーバアドレス情報テーブル１３１１を検索し、動画像配信サーバ１３０５を示すサーバアドレス情報も取得する。ここでは、サーバアドレスとして、動画像配信サーバを示すＵＲＬを利用する。これらＧＷ１３０７のＩＰアドレス及び使用ポート番号と、動画像配信サーバ１３５のＵＲＬを返送メッセージパケットに入れて、端末１３０１に返送する。
【００６８】
返送メッセージパケットを受信した端末１３０１では、音声通信ソフト１３０２が返送メッセージパケットにより、接続先ＧＷのＩＰアドレス及び使用ポート番号を取得し、ＧＷ１３０７に対し、電話番号『０３−５３５３−２６９４』を含んだ発呼メッセージパケットを送信する。
【００６９】
発呼メッセージパケットを受信したＧＷ１３０７は、発呼メッセージパケット中の電話番号『０３−５３５３−２６９４』を取得し、自動ダイヤルする。その結果、一般電話１３１２が呼び出しのため鳴動する。一般電話１３１２で着信操作がなされると、ＧＷ１３０７は、端末１３０１に接続メッセージパケットを返送し、双方向の音声通話が確立される。同時に、返送メッセージパケットの中のＵＲＬにより、動画像受信ソフト１３０３を自動起動し、動画像受信ソフト１３０３が動画像配信サーバ１３０５に対し、動画像リクエストメッセージを送信する。また、リクエストメッセージを受信した動画像配信サーバ１３０５は、自サーバ内の動画像データ１３０９の配信を開始する。
【００７０】
動画像データ１３０９を受信した端末１３０１では、動画像受信ソフト１３０３が受信した動画像データ１３０９を端末１３０１に表示する。
【００７１】
その結果、端末１３０１と一般電話１３１２間の双方向音声通信の間、動画像データ１３０９が端末１３０１上に表示されることになる。
【００７２】
［第２の実施例］
本実施例では、モニタ付き音声端末（以下、単に端末と記す）端末がパケット型ネットワーク内にあり、アドレスサーバを用いない場合の例について説明する。
【００７３】
図８は、本発明の第２の実施例のシステム構成を示す。
【００７４】
パケット型ネットワーク内に、モニタ付き音声通信端末１４０１、ゲートウェイ（ＧＷ）１４０２、動画像配信サーバ１４０３があり、該モニタ付き音声通信端末１４０１には、音声通信ソフト１４０４及び動画像受信ソフト１４０５がインストールされている。また、当該端末１４０１内には、接続先ＧＷを選択するためのＧＷアドレス情報テーブル１４０６があり、動画像配信サーバ１４０３内には、動画像データ１４０７がある。
【００７５】
また、ＧＷ１４０２内には、動画像配信サーバアドレス情報テーブル１４０８があり、一般電話網とも接続されている。
【００７６】
このようなネットワーク環境において、端末１４０１から電話番号が『０３−５３５３−２６９４』である一般電話網の一般電話１４０９を呼び出すものとする。
【００７７】
端末１４０１において、相手先である一般電話１４０９の電話番号『０３−５３５３−２６９４』を入力する。端末１４０１では、音声通信ソフト１４０４が、自端末内のＧＷアドレス情報テーブル１４０６を検索し、接続先のＧＷ１４０２のＩＰアドレス及び使用ポート番号を取得する。音声通信ソフト１４０４は、ＧＷ１０４２に対し、電話番号『０３−５３５３−２６９４』を含んだ発呼メッセージパケットを送信する。
【００７８】
発呼メッセージパケットを受信したＧＷ１４０２は、発呼メッセージパケット中の電話番号『０３−５３５３−２６９４』を取得し、自動ダイヤルをすると共に、自装置内の動画像配信サーバアドレス情報テーブル１４０８を検索し、動画像配信サーバ１４０３のサーバアドレス情報を得る。ここでは、サーバアドレスとして、動画像配信サーバを示すＵＲＬを利用する。その後、一般電話１４０９が呼び出しのため鳴動し、一般電話１４０９で着信操作が成されると、ＧＷ１４０２は、端末１４０１に接続メッセージパケットを返送するが、この時、取得した動画像配信サーバ１４０３のＵＲＬを含めて返送する。接続メッセージを受信した端末１４０１では、音声通話状態となると共に、音声通信ソフト１４０４が接続パケット中のＵＲＬにより、動画像受信ソフト１４０５を自動起動し、動画像受信ソフト１４０５が動画像配信サーバ１４０３に対し、動画像リクエストメッセージを送信する。
【００７９】
動画像リクエストメッセージを受信した動画像配信サーバ１４０３は、自サーバ内の動画像データ１４０７をモニタ付き音声通信端末１４０１に対し配信する。動画像データ１４０７を受信した端末１４０１では、動画像受信ソフト１４０５が受信した動画像データ１４０７を端末１４０１に表示する。
【００８０】
その結果、端末１４０１と一般電話１４０９間の双方向音声通信の間、動画像データ１４０７が端末１４０１上に表示されることとなる。
【００８１】
［第３の実施例］
本実施例では、動画像送信端末が音声通信端末と同じ通信プロトコルを持っている場合の例である。
【００８２】
図９は、本発明の第３の実施例のシステム構成を示す。
【００８３】
パケット型ネットワーク内に、モニタ付き音声通信端末（以下、単に端末と記す）１５０１、アドレスサーバ１５０２、ゲートウェイ（ＧＷ）１５０３、動画像送信端末１５０４があり、端末１５０１には、音声通信ソフト１５０５及び動画像ソフト１５１１がインストールされ、動画像送信端末１５０４には、音声画像通信ソフト１５０６がインストールされ、さらに、ビデオデッキ１５０７が接続されている。
【００８４】
ここで、音声通信ソフト１５０５と音声画像通信ソフト１５０６は、通信制御方式が同じで、扱えるメディアの違いはあるが、相互通信が可能であるものとする。
【００８５】
また、音声通信ソフト１５０５は、通信中に自ら発呼した特定の通信相手からの画像データについては、通信中であっても受信するものとする。また、音声画像通信ソフト１５０６は、自動着信機能を持っているものとする。また、アドレスサーバ１５０２内には、接続先ＧＷを選択するためのＧＷアドレス情報テーブル１５０８と、動画像送信端末のＩＰアドレス等を管理するための画像送信端末情報テーブル１５０９がある。また、ＧＷ１５０３は、一般電話網とも接続されている。
【００８６】
このようなネットワーク環境において、端末１５０１から電話番号『０３−５３５３−２６９４』である一般電話網の一般電話１５１０を呼び出すものとする。
【００８７】
端末１５０１において、相手先である一般電話１５１０の電話番号『０３−５３５３−２６９４』を入力する。端末１５０１では、音声通信ソフト１５０５がアドレスサーバ１５０２に、電話番号『０３−５３５３−２６９４』を含んだ接続先ＧＷ問い合わせメッセージパケットを送信する。
【００８８】
接続先ＧＷ問い合わせメッセージパケットを受信したアドレスサーバ１５０２は、自アドレスサーバ内のＧＷアドレス情報テーブル１５０８を検索し、ＧＷ１５０３のＩＰアドレス及び使用ポート番号を取得する。また、画像送信端末情報テーブル１５０９を検索し、動画像送信端末１５０４のＩＰアドレス及び使用ポート番号も取得する。これらＧＷ１５０３のＩＰアドレス及び使用ポート番号と、動画像送信端末１５０４のＩＰアドレス及び使用ポート番号を返送メッセージパケットに入れて、端末１５０１に返送する。
【００８９】
返送メッセージパケットを受信した端末１５０１では、音声通信ソフト１５０５が返送メッセージパケットにより、接続先ＧＷのＩＰアドレス及び使用ポート番号を取得し、ＧＷ１５０３に対し、電話番号『０３−５３５３−２６９４』を含んだ発呼メッセージパケットを送信する。
【００９０】
ＧＷ宛の発呼メッセージパケットを受信したＧＷ１５０３は、ＧＷ宛発呼メッセージパケット中の電話番号『０３−５３５３−２６９４』を取得し、自動ダイヤルする。その結果、一般電話１５１０が呼び出しのため鳴動する。一般電話１５１０で着信操作がなされると、ＧＷ１５０３は、端末１５０１に接続メッセージパケットを返送し、双方向の音声通話が確立される。同時に、返送メッセージパケット中の動画像送信端末１５０４のＩＰアドレス及び使用ポート番号により、動画像送信端末１５０４に対し、発呼パケットメッセージを送信する。また、動画像送信端末宛の発呼メッセージパケットを受信した動画像送信端末１５０４は、自動着信するが、通信プロトコルが同じであるため、接続可能であり、接続メッセージパケットを端末１５０１に返送し、通信状態となる。
【００９１】
ここで、端末１５０１と動画像送信端末１５０４では扱えるメディアが異なるが、それは無視して、動画像送信端末１５０４は、画像データを送信する。また、動画像送信端末１５０４は、音声は送信しない。その結果、動画像送信端末１５０４から端末１５０１には、動画像送信端末１５０４に接続されたビデオデッキ１５０７の動画像が送信される。ビデオデッキ１５０７に網内配備画像のビデオを再生しておけば、端末１５０１に網内配備画像が表示される。
【００９２】
その結果、端末１５０１と一般電話１５１０間の双方向音声通信の間、網内配備画像が端末１５０１上に表示されることになる。
【００９３】
［第４の実施例］
本実施例は、動画像送信端末が、音声通信端末と同じ通信プロトコル及び画像送信端末情報を持ち、通信相手が網内の他音声通信端末であった場合の例である。
【００９４】
パケット型ネットワーク内に、モニタ付き音声通信端末（以下、単に端末と記す）１６０１、動画像送信端末１６０２があり、端末１６０１には、音声通信ソフト１６０８がインストールされ、内部に、動画像送信端末に関する画像送信端末アドレス情報テーブル１６０４、及び他の音声通信端末、または、ゲートウェイ情報であるＧＷアドレス情報テーブル１６０５がある。
【００９５】
また、動画像送信端末１６０２には、音声画像通信ソフト１６０６がインストールされ、さらに、ビデオデッキ１６０７が接続されている。ここで、音声通信ソフト１６０３と音声画像通信ソフト１６０６は、通信制御方式が同じで、扱えるメディアの違いはあるが、相互通信が可能であるものとする。また、音声通信ソフト１６０３は、通信中に自ら発呼した特定の通信相手からの画像データについては、通信中であっても受信するものとする。また、音声画像通信ソフト１６０６は、自動着信機能を持っているものとする。
【００９６】
このようなネットワーク環境において、端末１６０１から網内の別の音声通信端末１６０８を呼び出すものとする。音声通信端末１６０８には、音声通信ソフト１６０９がインストールされているものとする。音声通信ソフト１６０９は、音声通信ソフト１６０３と相互接続可能であれば、必ずしも全く同一のプログラムである必要はない。
【００９７】
端末１６０１において、他の音声通信端末１６０８を示す値を入力する。端末１６０１は、自端末内の端末ＧＷアドレス情報テーブル１６０５を参照し、音声通信端末１６０８の端末アドレスを取得し、音声通信端末１６０８に発呼メッセージを送信する。
【００９８】
発呼メッセージを受信した音声通信端末１６０８は、着信を知らせる鳴動があり、ユーザが着信操作を行うと、接続メッセージを端末１６０１に返送し、端末１６０１と音声通信端末１６０８は、音声通信状態となる。
【００９９】
端末１６０１は、自端末内の回線送信端末アドレス情報テーブル１６０４を検索し、動画像送信端末１６０２の端末アドレスを取得し、動画像送信端末１６０２にも発呼メッセージを送信する。また、発呼メッセージを受信した動画像送信端末１６０２は、自動着信するが、通信プロトコルが同じであるため、接続可能であり、接続メッセージパケットをモニタ付き音声通信端末１６０１に返送し、通信状態となる。ここで、端末１６０１と動画像送信端末１６０２では、扱えるメディアが異なるが、それは無視して、動画像送信端末１６０２は、画像データを送信する。また、端末１６０１は、動画像送信端末１６０２に対しては、音声は送信しない。その結果、動画像送信端末１６０２から端末１６０１には、動画像送信端末１６０２に接続されたビデオデッキ１６０７の動画像が送信される。
【０１００】
ビデオデッキ１６０７に網内配備画像のビデオを再生しておけば、端末１６０１に網内配備画像が表示される。
【０１０１】
その結果、端末１６０１と網内の他の音声通信端末１６０８間の双方向音声通信の間、網内配備画像が端末１６０１上に表示されることとなる。
【０１０２】
［第５の実施例］
本実施例では、モニタ付き音声端末がパケット型ネットワーク内にあり、アドレスサーバを利用する場合の例である。
【０１０３】
ゲートウェイ（ＧＷ）１７０３、動画像配信サーバ１７０４があり、モニタ付き音声通信端末（以下、単に端末と記す）１７０１には、音声通信ソフト１７０５及び動画像受信ソフト１７０６がインストールされており、内部に、画像送信端末に関する画像送信端末アドレス情報テーブル１７０７がある。
【０１０４】
また、アドレスサーバ１７０２内には、接続先ＧＷを選択するためのＧＷアドレス情報テーブル１７０８がある。
【０１０５】
また、動画像配信サーバ１７０４内には、動画像データ１７０９がある。
【０１０６】
また、ＧＷ１７０２は一般電話網とも接続されている。
【０１０７】
このようなネットワーク環境において、端末１７０１から、電話番号が『０３−５３５３−２６９４』である一般電話網の一般電話１７１０を呼び出すものとする。
【０１０８】
端末１７０１では、音声通信ソフト１７０６が、アドレスサーバ１７０２に、電話番号『０３−５３５３−２６９４』を含んだ接続先ＧＷ問い合わせメッセージパケットを送信する。
【０１０９】
接続先ＧＷ問い合わせメッセージパケットを受信したアドレスサーバ１７０２は、自アドレスサーバ内のＧＷアドレス情報テーブル１７０８を検索し、ＧＷ１７０３のＩＰアドレス及び使用ポート番号を取得する。ＧＷ１７０３のＩＰアドレス及び使用ポート番号を返送メッセージパケットに入れて、端末１７０１に返送する。
【０１１０】
返送メッセージパケットを受信した端末１７０１では、音声通信ソフト１７０５が返送メッセージパケットにより、接続先ＧＷのＩＰアドレス及び使用ポート番号を取得し、ＧＷ１７０３に対し、電話番号『０３−５３５３−２６９４』を含んだ発呼メッセージパケットを送信する。
【０１１１】
ＧＷ宛の発呼メッセージを受信したＧＷ１７０３は、ＧＷ宛発呼メッセージパケット中の電話番号『０３−５３５３−２６９４』を取得し、自動ダイヤルする。その結果、一般電話１７１０が呼び出しのため、鳴動する。
【０１１２】
一般電話１７１０で着信操作がなされると、ＧＷ１７０３は、端末１７０１に接続メッセージパケットを返送し、双方向の音声通話が確立される。
【０１１３】
同時に、端末１７０１内部の画像送信端末に関する画像送信端末アドレス情報テーブル１７０１から動画像配信サーバ１７０４のＩＰアドレス及び使用ポート番号または、ＵＲＬにより、動画像受信ソフト１７０６を自動起動し、動画像受信ソフト１７０６が動画像配信サーバ１７０４に対し、動画像リクエストメッセージを送信する。
【０１１４】
動画像リクエストメッセージを受信した動画像配送サーバ１７０４は、自サーバ内の動画像データ１７０９の配信を開始する。
【０１１５】
動画像データ１７０９を受信した端末１７０１では、動画像受信ソフト１７０６が、受信した動画像データ１７０９をモニタ付き音声通信端末１７０１に表示する。その結果、端末１７０１間の双方向音声通信の間、網内配備画像が端末１７０１上に表示されることとなる。
【０１１６】
なお、本発明は、上記の実施例に限定されることなく、特許請求の範囲内において、種々変更・応用が可能である。
【０１１７】
【発明の効果】
上述のように、本発明によれば、網内配備画像配信機能付き音声通信システムにおいて、ネットワーク内のサーバに蓄えられた画像データなどを網内配備画像として、音声通話中に発呼元端末に自動的に表示することができる。
【図面の簡単な説明】
【図１】本発明のネットワーク構成例である。
【図２】本発明によるモニタ付き音声通信端末ブロック図である。
【図３】本発明によるアドレスサーバのブロック図である。
【図４】本発明の音声通信中の動画像自動表示シーケンスの例である。
【図５】本発明のモニタ付き音声通信端末の動作を示すシーケンスチャートである。
【図６】本発明のアドレスサーバにおけるフローチャートである。
【図７】本発明の第１の実施例のシステム構成図である。
【図８】本発明の第２の実施例のシステム構成図である。
【図９】本発明の第３の実施例のシステム構成図である。
【図１０】本発明の第４の実施例のシステム構成図である。
【図１１】本発明の第５の実施例のシステム構成図である。
【図１２】従来のＩＰ電話における相手指定方法の例（その１）である。
【図１３】従来のＩＰ電話の接続シーケンスの例（その１）である。
【図１４】従来のＩＰ電話における相手指定方法の例（その２）である。
【図１５】従来のＩＰ電話の接続シーケンスの例（その２）である。
【図１６】従来のストリーム系動画像配信システムの例である。
【符号の説明】
１０  モニタ付き音声通信端末
１１  音声通信ソフト
１２  動画像受信ソフト
２０  アドレスサーバ
３０  ゲートウェイ
４０  動画像配信サーバ
５０  一般電話網
６０  パケット網
７０  一般電話
１０１  音声入力部
１０２  Ａ／Ｄ変換部
１０３  音声符号化部
１０４  画像復号化部
１０５  Ｄ／Ａ変換部
１０６  画像出力部
１０７  音声復号化部
１０８  Ｄ／Ａ変換部
１０９  音声出力部
１１０  装置制御部
１２０  音声通話機能制御部
１２１  アドレスサーバインタフェース部
１２２  動画像受信機能起動部
１３０  動画像受信機能制御部
１４０  通信制御部
１５０  ネットワークインタフェース部
１６０  マイク
１７０  スピーカ
１８０  モニタ
２１０  ネットワークインタフェース部
２２０  装置制御部
２３０  通信制御部
２４０  コマンド制御部
２５０  動画像配信サーバアドレス情報・画像データ情報記録テーブル
２６０  端末・ＧＷ検索部
２７０  端末・ＧＷ管理テーブル
１３０１  モニタ付き音声通信端末
１３０２  音声通信ソフト
１３０３  動画像受信ソフト
１３０４  ターミナルアダプタ
１３０５  動画像配信サーバ
１３０６  アドレスサーバ
１３０７  ゲートウェイ
１３０８  ＲＡＳサーバ
１３０９  動画像データ
１３１０  ＧＷアドレス情報テーブル
１３１１  動画像配信サーバアドレス情報テーブル
１３１２  一般電話
１４０１  モニタ付き音声通信端末
１４０２  ゲートウェイ
１４０３  動画像配信サーバ
１４０４  音声通信ソフト
１４０５  動画像受信ソフト
１４０６  ＧＷアドレス情報テーブル
１４０７  動画像データ
１４０８  動画像配信サーバアドレス情報テーブル
１５０１  モニタ付き音声通信端末
１５０２  アドレスサーバ
１５０３  ゲートウェイ
１５０４  画像送信端末
１５０５  音声通信ソフト
１５０６  音声画像通信ソフト
１５０７  ビデオデッキ
１５０８  ＧＷアドレス情報テーブル
１５０９  画像送信端末アドレス情報テーブル
１５１０  一般電話
１５１１  動画像受信ソフト
１６０１  モニタ付音声通信端末Ａ
１６０２  画像送信端末
１６０３  音声通信ソフト
１６０４  画像送信端末アドレス情報テーブル
１６０５  端末ＧＷアドレス情報テーブル
１６０６  音声画像通信ソフト
１６０７  ビデオデッキ
１６０８  音声通信端末Ｂ
１６０９  音声通信ソフト
１６１０  動画像受信ソフト
１７０１  モニタ付き音声通信端末
１７０２  アドレスサーバ
１７０３  ゲートウェイ
１７０４  動画像配信サーバ
１７０５  音声通信ソフト
１７０６  画像送信端末アドレス情報テーブル
１７０７  動画像受信ソフト
１７０８  ＧＷアドレス情報テーブル
１７０９  動画像データ
１７１０  一般電話
【図１】
0004402805.tif 000002
【図２】
0004402805.tif 000003
【図３】
0004402805.tif 000004
【図４】
0004402805.tif 000005
【図５】
0004402805.tif 000006
【図６】
0004402805.tif 000007
【図７】
0004402805.tif 000008
【図８】
0004402805.tif 000009
【図９】
0004402805.tif 000010
【図１０】
0004402805.tif 000011
【図１１】
0004402805.tif 000012
【図１２】
0004402805.tif 000013
【図１３】
0004402805.tif 000014
【図１４】
0004402805.tif 000015
【図１５】
0004402805.tif 000016
【図１６】
0004402805.tif 000017